(57)【要約】【解決手段】エチレン酢酸ビニル共重合体とエチレンプロピレンゴムを主体とする樹脂を射出成形して、履物の底１、かかと２、甲皮３等履物のパーツ全てを一体的に成形して履物Ａを得る。しかも、前記甲皮３と上底面５間に足指間の係止部材６が前記射出成形により一体的に成形されている。足指間の係止部材６は足の親指と人差し指の間に位置するように１つだけ設けられる場合と、足の親指と人差し指の間、足の人差し指と中指の間、中指と薬指の間、薬指と小指の間に位置するように４つ設けられる場合の両方を含む。【効果】一工程という極めて簡単な工程により極めて軽い履物を得ることができる。前記甲皮３と上底面５間に足指間の係止部材６が前記射出成形により一体的に成形されているので、この履物Ａを履いたときには足の指先で物をつかむ力と地面を蹴る力が養われ、初期の外反母趾や内反小指になるのを防ぐことができる。【選択図】図５
0003128226.tif 000002
【実用新案登録請求の範囲】
【請求項１】
エチレン酢酸ビニル共重合体とエチレンプロピレンゴムを主体とする樹脂を射出成形して、履物の底、かかと、甲皮等履物のパーツ全てを一体的に成形して得られ、かつ、前記甲皮と上底面間に足指間の係止部材が前記射出成形により一体的に成形されていることを特徴とする履物。
【請求項２】
上底面の周縁部が他の部分に比べて高くなっており、窪んでいる部分に足を置くことができる請求項１記載の履物。
【請求項３】
甲皮の一方から履物を履いたときの足のかかと部分を経て甲皮の他方に達するように取り付け得るバンドを有することを特徴とする請求項１記載の履物。
【請求項４】
バンドの長さを調節する手段が備えられているすることを特徴とする請求項３記載の履物。
【考案の詳細な説明】
【技術分野】
【０００１】
本考案は、エチレン酢酸ビニル共重合体とエチレンプロピレンゴムを主体とする樹脂を射出成形して、履物の底、かかと、甲皮等履物のパーツ全てを一体的に成形して得られた履物に関するものである。
【背景技術】
【０００２】
従来、あらかじめ靴底を形成しておき、この靴底を靴本体の射出成形と同じに一体的ならしめる技術が提案されている（例えば、特許文献１参照）。
【０００３】
【特許文献１】特開昭５５−９９２０１号公報
【考案の開示】
【考案が解決しようとする課題】
【０００４】
この場合には、靴底を靴本体の射出成形と同時に一工程で一体に成形することができるが、靴底を成形する工程が別途必要であるから、全体的には二工程を必要とする。
【０００５】
そこで、本考案では、その工程をさらに減らして一工程で履物のパーツ全てを一体的に成形できるようにするとともに、前記甲皮と上底面間に足指間の係止部材が前記射出成形により一体的に取り付けられた履物を提供しようとするものである。
【課題を解決するための手段】
【０００６】
この目的を達成するために、本考案では、エチレン酢酸ビニル共重合体とエチレンプロピレンゴムを主体とする樹脂を射出成形して、履物の底、かかと、甲皮等履物のパーツ全てを一体的に成形して履物を得る。しかも、前記甲皮と上底面間に足指間の係止部材が前記射出成形により一体的に成形されている履物を得る。足指間の係止部材は足の親指と人差し指の間に位置するように１つだけ設けられる場合と、足の親指と人差し指の間、足の人差し指と中指の間、中指と薬指の間、薬指と小指の間に位置するように４つ設けられる場合の両方を含む。
【０００７】
本考案によれば、一工程という極めて簡単な工程により極めて軽い履物を得ることができるのみならず、前記甲皮と上底面間に足指間の係止部材が前記射出成形により一体的に成形されているので、この履物を履いたときには足の指先で物をつかむ力と地面を蹴る力が養われ、初期の外反母趾や内反小指になるのを防ぐことができる。
【０００８】
また、足の指と指の間に隙間ができるので、通気性がよくなって水虫になりにくく、気になる足の臭いも防ぐことができる。また、足の指を広げることにより血液の循環が良くなり、冷え性の対策にもなる。足だけでなく、身体全体の血行も良くなり、むくみの解消にもなる。さらに、本来人間の持っている運動能力を向上させ、より裸足に近い感覚が得られ、人体のバランスが良くなると医学的にも認められている。
【０００９】
上底面の周縁部が他の部分に比べて高くなっており、窪んでいる部分に足を置くことができるようにしておくと良い。この場合には、履物を履いたとき足が窪みの中にすっぽりと納まるのみならず、前記足指間の係止部材の存在と相俟って履物の前部からつま先が出るのを防止でき、足先のけがを防ぐことができる。
【００１０】
甲皮の一方から履物を履いたときの足のかかと部分を経て甲皮の他方に達するように取り付け得るバンドを有していることが望ましい。このバンドが備えられていると、甲皮の一方にバンドの一端を取り付け、履物を履いたときの足のかかと部分を経て甲皮の他方に渡し掛け、バンドの他端を甲皮の他方に取り付けることにより、履物が脱げないようになる。
【００１１】
バンドの長さを調節する手段が備えられていることが望ましい。この手段によりバンドの長さを調節できるので、履物がより一層脱げないようになる。
【考案の効果】
【００１２】
請求項１記載の考案によれば、一工程という極めて簡単な工程により極めて軽い履物を得ることができるのみならず、前記甲皮と上底面間に足指間の係止部材が前記射出成形により一体的に成形されているので、この履物を履いたときには足の指先で物をつかむ力と地面を蹴る力が養われ、初期の外反母趾や内反小指になるのを防ぐことができる。
【００１３】
また、足の指と指の間に隙間ができるので、通気性がよくなって水虫になりにくく、気になる足の臭いも防ぐことができる。また、足の指を広げることにより血液の循環が良くなり、冷え性の対策にもなる。足だけでなく、身体全体の血行も良くなり、むくみの解消にもなる。さらに、本来人間の持っている運動能力を向上させ、より裸足に近い感覚が得られ、人体のバランスが良くなると医学的にも認められている。
【００１４】
請求項２記載の考案によれば、履物を履いたとき足が窪みの中にすっぽりと納まるのみならず、前記足指間の係止部材の存在と相俟って履物の前部からつま先が出るのを防止でき、足先のけがを防ぐことができる。
【００１５】
請求項３記載の考案によれば、甲皮の一方にバンドの一端を取り付け、履物を履いたときの足のかかと部分を経て甲皮の他方に渡し掛け、バンドの他端を甲皮の他方に取り付けることにより、履物が脱げないようになる。
【００１６】
請求項４記載の考案によれば、バンドの長さを調節できるので、履物がより一層脱げないようになる。
【考案を実施するための最良の形態】
【００１７】
本考案に係る履物の一例を、図面を参照しながら詳細に説明する。本考案においては、エチレン酢酸ビニル共重合体とエチレンプロピレンゴムを主体とする樹脂を射出成形して、履物の底１、かかと２、甲皮３、バンド４等履物のパーツ全てを一体的に成形することにより履物Ａを得る。この履物を図１、図２において符号Ａで示す。
【００１８】
そして、前記甲皮３と上底面５間には、図３、図４に示すように、足指間の係止部材６が前記射出成形により一体的に成形されている。図１(a)、図３には、係止部材６が足の親指と人差し指の間に位置するように１つだけ設けられた場合を示す。また、図２(a)、図４には、係止部材６が足の親指と人差し指の間、足の人差し指と中指の間、中指と薬指の間、薬指と小指の間に位置するように４つ設けられた場合を示す。
【００１９】
このように、エチレン酢酸ビニル共重合体とエチレンプロピレンゴムを主体とする樹脂を射出成形して、履物の底１、かかと２、甲皮３、バンド４等履物のパーツ全てを一体的に成形して履物Ａを得るので、一工程という極めて簡単な工程により極めて軽い履物を得ることができるのみならず、前記甲皮３と上底面５間に足指間の係止部材６が前記射出成形により一体的に成形されているので、この履物Ａを履いたときには足の指先で物をつかむ力と地面を蹴る力が養われ、初期の外反母趾や内反小指になるのを防ぐことができる。
【００２０】
また、足の指と指の間に隙間ができるので、通気性がよくなって水虫になりにくく、気になる足の臭いも防ぐことができる。また、足の指を広げることにより血液の循環が良くなり、冷え性の対策にもなる。足だけでなく、身体全体の血行も良くなり、むくみの解消にもなる。さらに、本来人間の持っている運動能力を向上させ、より裸足に近い感覚が得られ、人体のバランスが良くなると医学的にも認められている。
【００２１】
なお、図５には、足指間の係止部材６が足の親指と人差し指の間、足の人差し指と中指の間、中指と薬指の間、薬指と小指の間に位置するように４つ設けられている履物Ａ（図２(a)、図４に示すもの）を履いた状態が例示されている。
【００２２】
ここに示す履物Ａは、上底面５の周縁部５ａが他の部分に比べて高くなっており、窪んでいる部分５ｂに足を置くことができるようになっている。したがって、履物Ａを履いたとき足Ｆが窪みの中にすっぽりと納まるのみならず、前記足指間の係止部材６の存在と相俟って履物Ａの前部からつま先が出るのを防止でき、足先のけがを防ぐことができる。
【００２３】
また、ここに示す履物Ａには、図１(b)、(c)および図２(b)、(c)に示すように、甲皮３の一方から履物Ａを履いたときの足Ｆのかかとｆ部分を経て甲皮３の他方に達するように取り付け得るバンド４を有している。このバンド４も上述したように、エチレン酢酸ビニル共重合体とエチレンプロピレンゴムを主体とする樹脂を射出成形して得られる。
甲皮３の一端に係止部材３ａを取り付けておき、バンド４の一端に取り付けた係止部材４ａを前記係止部材３ａに係止するとともに、履物Ａを履いたときの足Ｆのかかとｆ’部分を経て甲皮３の他方に渡し掛け、バンド４の他端に取り付けた係止部材４ｂを甲皮３の他方に取り付けた係止部材３ｂに係止することにより、履物Ａが脱げないようになる。
【００２４】
図１(b)、図２(b)には、長さを調節することができないバンドが示されているが、図１(c)、図２(c)には、バンドの長さを調節する手段７が備えられたバンドを示す。この手段７によりバンド４の長さを調節できるので、履物Ａがより一層脱げないようになる。
バンドの長さを調節する手段７の一例として、例えば、図１(c)、図２(c)では、１本のバンド４を４ｃと４ｄで示すように２本に分離しておき、一方のバンド４ｃに面ファスナー４ｃ’を、他方のバンド４ｄに面ファスナー４ｄ’を取り付けておく場合を挙げることができる。この場合には、面ファスナー４ｃ’と面ファスナー４ｄ’の係止位置を変えることにより、１本のバンド４の長さを調節できる。
【００２５】
図示はしないが、面ファスナー以外の例として、例えば、１本のバンド４を４ｃと４ｄで示すように２本に分離しておき、一方のバンド４ｃの長さ方向にわたって複数個の係止部材を取り付けておき、他方のバンド４ｄに前記複数個の係止部材のいずれかに係止させ得る係止部材を取り付けておく場合を挙げることができる。この場合には、一方のバンド４ｃの長さ方向にわたって取り付けられている複数個の係止部材と、他方のバンド４ｄの係止部材の係止位置を変えることにより、１本のバンド４の長さを調節できる。
【００２６】
エチレン酢酸ビニル共重合体（ＥＶＡ）とエチレンプロピレンゴム（ＥＰＲ）の混合比は、前者を７５〜８５重量％、後者を１５〜２５重量％とするのが最適であり、これらを主体とする樹脂に架橋剤と発泡剤とを適量添加することが望ましい。そして、混練調整したこの樹脂混和物を射出成形機に供給して発泡剤の分解温度以下で溶融混練し、この溶融混練樹脂混和物を発泡剤の分解温度以上に加熱した金型に注入する。すると、金型内で前記溶融混練樹脂混和物が成形され、この成形物を金型から開放して発泡膨張させれば、図１(a)、図２(a)、図３、図４に示すような履物を得ることができる。
【００２７】
なお、前記上底面５にあって足の土踏まずやかかとの裏側に対応する部分には、図１(a)、図２(a)、図３、図４に示すように、多数の突隆８，８を形成しておくと、履物Ａを履いた場合にも滑りにくい。
【００２８】
その他図面において、符号９は甲皮３に多数形成した通気用の孔で、この孔９，９により履物Ａ内や足Ｆが一層蒸れないようになる。
【産業上の利用可能性】
【００２９】
ここでは、本考案をサンダルに適用した場合を例に挙げて説明したが、つっかけやその他の履物にも充分適用できる。
【図面の簡単な説明】
【００３０】
【図１】本考案による履物の一例を示す図で、(a)は足の親指と人差し指間の１つの係止部材を備えている履物の斜視図、(b)はこの履物に取り付けることができるものであって、長さを調節することができないタイプのバンドの平面図、(c)はこの履物に取り付けることができるものであって、長さを調節することができるタイプのバンドの平面図である。
【図２】本考案による履物の一例を示す図で、(a)は足の親指と人差し指間、足の人差し指と中指間、中指と薬指間、薬指と小指間の４つの係止部材を備えている履物の斜視図、(b)はこの履物に取り付けることができるものであって、長さを調節することができないタイプのバンドの平面図、(c)はこの履物に取り付けることができるものであって、長さを調節することができるタイプのバンドの平面図である。
【図３】図１(a)に示す履物を前側から見た斜視図である。
【図４】図２(a)に示す履物を前側から見た斜視図である。
【図５】図２(a)、図４に示す履物を履いた状態を示す斜視図である。
【符号の説明】
【００３１】
１…底、２…履物のかかと、３…甲皮、３ａ，３ｂ…係止部材、４…バンド、４ａ，４ｂ…係止部材、４ｃ’，４ｄ’…面ファスナー、５…上底面、５ａ…周縁部、５ｂ…窪んでいる部分、６…足指の係止部材、７…バンドの長さを調節する部分、Ａ…履物、Ｆ…足、ｆ’…足のかかと。
【図１】
0003128226.tif 000003
【図２】
0003128226.tif 000004
【図３】
0003128226.tif 000005
【図４】
0003128226.tif 000006
【図５】
0003128226.tif 000007
【手続補正書】
【提出日】平成18年10月20日(2006.10.20)
【手続補正１】
【補正対象書類名】明細書
【補正対象項目名】００２３
【補正方法】変更
【補正の内容】
【００２３】
また、ここに示す履物Ａには、図１(b)、(c)および図２(b)、(c)に示すように、甲皮３の一方から履物Ａを履いたときの足Ｆのかかとｆ’部分を経て甲皮３の他方に達するように取り付け得るバンド４を有している。このバンド４も上述したように、エチレン酢酸ビニル共重合体とエチレンプロピレンゴムを主体とする樹脂を射出成形して得られる。
甲皮３の一端に係止部材３ａを取り付けておき、バンド４の一端に取り付けた係止部材４ａを前記係止部材３ａに係止するとともに、履物Ａを履いたときの足Ｆのかかとｆ’部分を経て甲皮３の他方に渡し掛け、バンド４の他端に取り付けた係止部材４ｂを甲皮３の他方に取り付けた係止部材３ｂに係止することにより、履物Ａが脱げないようになる。